(57)【要約】【課題】情報端末の位置に関連づけられた広告をわかりやすく表示する。【解決手段】広告提供装置１００は，位置情報と，該位置情報に関連づけられた広告情報とを，地理的因子送信手段１４０と広告送信手段１２０とにより，情報端末１１０に送信する。情報端末１１０は，送信された位置情報と，広告情報とを，地理的因子受信手段１５０と広告受信手段１３０とにより受信し，地図表示手段５０および広告提示手段２０により，情報端末１１０が備える地図情報を用いて，受信した位置情報に対応する地図の表示制御を行い，地図と受信した広告情報とを合わせて表示装置３０に表示する。【選択図】図１４
2010157251.tif 000002
【特許請求の範囲】
【請求項１】
広告提供装置と，情報端末とを備えた広告表示システムにおいて，
前記広告提供装置は，
位置情報と，該位置情報に関連づけられた広告情報とを前記情報端末に送信する送信部を備え，
前記情報端末は，
送信された前記位置情報と，前記広告情報とを受信する受信部と，
前記情報端末が備える地図情報を用いて前記受信部で受信した前記位置情報に対応する地図の表示制御を行う制御部と，
前記地図と，前記受信部で受信した前記広告情報とを合わせて表示する表示部とを備えた，
ことを特徴とする広告表示システム。
【請求項２】
広告提供装置と，情報端末とを備えた広告表示システムにおいて，
前記情報端末は，
検出した前記情報端末の位置情報を前記広告提供装置に送信する送信部を備え，
前記広告提供装置は，
送信された前記情報端末の位置情報に関連づけられた広告情報を前記情報端末に送信する送信部を備え，
前記情報端末は，
送信された前記広告情報を受信する受信部と，
前記情報端末が備える地図情報を用いて前記検出した前記情報端末の位置情報に対応する地図の表示制御を行う制御部と，
前記地図と，前記受信部で受信した前記広告情報とを合わせて表示する表示部とを備えた，
ことを特徴とする広告表示システム。
【請求項３】
情報端末において，
位置情報と，該位置情報に関連付けられた広告情報とを広告提供装置から受信する受信部と，
前記情報端末が備える地図情報を用いて前記受信部で受信した前記位置情報に対応する地図の表示制御を行う制御部と，
前記地図と，前記受信部で受信した前記広告情報とを合わせて表示する表示部とを備えた，
ことを特徴とする情報端末。
【請求項４】
情報端末において，
検出した前記情報端末の位置情報を広告提供装置に送信する送信部と，
送信された前記情報端末の位置情報に関連づけられた広告情報を送信する前記広告提供装置から該広告情報を受信する受信部と，
前記情報端末が備える地図情報を用いて前記検出した前記情報端末の位置情報に対応する地図の表示制御を行う制御部と，
前記地図と，前記受信部で受信した前記広告情報とを合わせて表示する表示部とを備えた，
ことを特徴とする情報端末。
【請求項５】
情報端末における広告表示方法において，
位置情報と，該位置情報に関連付けられた広告情報とを広告提供装置から受信部で受信し，
前記情報端末が備える地図情報を用いて前記受信部で受信した位置情報に対応する地図の表示制御を行い，
前記地図と，前記受信部で受信した前記広告情報とを合わせて表示部に表示する
ことを特徴とする情報端末における広告表示方法。
【請求項６】
情報端末における広告表示方法において，
検出した前記情報端末の位置情報を広告提供装置に送信し，
送信された前記情報端末の位置情報に関連づけられた広告情報を送信する前記広告提供装置から該広告情報を受信部で受信し，
前記情報端末が備える地図情報を用いて前記検出した前記情報端末の位置情報に対応する地図の表示制御を行い，
前記地図と，前記受信部で受信した前記広告情報とを合わせて表示部に表示する
ことを特徴とする情報端末における広告表示方法。
【発明の詳細な説明】
【技術分野】
【０００１】
本発明は，地理的因子に関連づけて広告を情報端末に表示する広告表示システムの技術に関する。
【０００２】
情報端末としては，自宅やオフィスで利用されるパーソナルコンピュータ，車での移動時に利用されるカーナビゲーションシステム，出先や徒歩／バス／電車などでの移動時に利用される携帯端末や携帯電話，観光案内所や各種施設に設置される情報端末，街角やイベント会場に設置される大型ディスプレイなどが挙げられる。
【背景技術】
【０００３】
近年，自宅やオフィスでパーソナルコンピュータを用いて地図を見たり，車での移動時にカーナビゲーションシステムを用いて現在地から目的地までの経路を見たり，あるいは，徒歩／バス／電車などでの移動時に携帯端末や携帯電話を用いて周辺の情報を見たりといった，場所に関係する情報の活用が盛んになってきている。
【０００４】
それに伴い，例えば利用者がパーソナルコンピュータを用いてある場所の情報をアクセスしたときに，そのパーソナルコンピュータ上にその場所にある店舗の広告を表示したり，あるいは，利用者がカーナビゲーションシステムを用いてある場所に行ったときに，そのカーナビゲーションシステム上にその場所の近くにある施設の広告を表示するといった，場所に関連づけた広告の利用が注目されつつある。
【０００５】
上述のように，場所や地域のような地理的因子に関連づけて広告を情報端末に提示する広告提示システムは，既に用いられている。しかしながら，提示される場所や地域に応じて広告の料金を算定するような広告提示システムは，まだ存在しない。
【０００６】
また，同様に時間や季節，また曜日や平日／祝祭日などの日種別のような時間的因子に関連づけて広告を情報端末に提示する広告提示システムは，既に存在する。しかしながら，提示される時間や季節に応じて広告の料金を算定するような広告提示システムは用いられていない。
【先行技術文献】
【特許文献】
【０００７】
【特許文献１】特開平１１−４６１９３号公報
【発明の概要】
【発明が解決しようとする課題】
【０００８】
従来，場所や地域のような地理的因子または時間や季節のような時間的因子に関連づけて広告を情報端末に提示する方式は用いられていたが，一般にこれらの広告料金は，地理的因子または時間的因子に関係なく，広告を提示する回数などによって一律に定められていた。
【０００９】
今後，地理的因子や時間的因子に関連づけて広告を情報端末に提示する広告の方式はますます盛んになるものと思われるが，広告の料金は，広告の効果が大きい場合には高く設定し，広告の効果が小さい場合には低く設定するというのが，広告の掲載を依頼する広告主にとっても，広告提示システムを提供する提供者にとっても望ましいと考えられる。そこで，利用者の人気や関心が高い，あるいは，広告主からの広告の掲載依頼が多い場所や地域もしくは時間や季節に関しては，広告掲載料を高くするといった，場所や地域もしくは時間や季節に応じて広告料金を設定する仕組みが必要になる。
【００１０】
また，地理的因子に関連づけて広告を情報端末に表示する場合には，情報端末の位置情報に対応する地図の表示に合わせて広告を表示し，広告をわかりやすく表示することが望まれる。
【００１１】
本発明は上記問題点の解決を図り，情報端末の位置に関連づけられた広告をわかりやすく表示する手段を提供することを目的とする。
【課題を解決するための手段】
【００１２】
本発明は，上記課題を解決するため，広告提供装置と，情報端末とを備えた広告表示システムにおいて，前記広告提供装置は，位置情報と，該位置情報に関連づけられた広告情報とを前記情報端末に送信部で送信し，前記情報端末は，送信された前記位置情報と，前記広告情報とを受信部で受信し，前記情報端末が備える地図情報を用いて前記受信部で受信した前記位置情報に対応する地図の表示制御を行い，前記地図と，前記受信部で受信した前記広告情報とを合わせて表示部に表示することを特徴とする。
【００１３】
また，本発明は，広告提供装置と，情報端末とを備えた広告表示システムにおいて，前記情報端末は，検出した前記情報端末の位置情報を前記広告提供装置に送信部で送信し，前記広告提供装置は，送信された前記情報端末の位置情報に関連づけられた広告情報を前記情報端末に送信し，前記情報端末は，送信された前記広告情報を受信部で受信し，前記情報端末が備える地図情報を用いて前記検出した前記情報端末の位置情報に対応する地図の表示制御を行い，前記地図と，前記受信部で受信した前記広告情報とを合わせて表示部に表示することを特徴とする。
【００１４】
以上の各処理手段をコンピュータによって実現するためのプログラムは，コンピュータが読み取り可能な可搬媒体メモリ，半導体メモリ，ハードディスクなどの適当な記録媒体に格納することができる。
【発明の効果】
【００１５】
本発明によれば，利用者の人気や関心が高い，あるいは，広告主からの広告の掲載依頼が多い場所や地域あるいは時間や季節に関しては，広告掲載料を高くするといったような広告表示システムにおいて，情報端末の位置に関連づけられた広告を地図情報と合わせてわかりやすく表示することができるようになる。
【図面の簡単な説明】
【００１６】
【図１】本発明の概要を説明するためのブロック図である。
【図２】広告の内容と広告の出力例を示す図である。
【図３】広告料金算定手段の構成例を示す図である。
【図４】基本料金算出表の例を示す図である。
【図５】顧客／広告データベースの例を示す図である。
【図６】広告料金算定手段の処理フローチャートである。
【図７】見積受付画面の例を示す図である。
【図８】見積提示／契約画面の例を示す図である。
【図９】広告提示／確認画面の例を示す図である。
【図１０】広告提示／地図提示のフローチャートである。
【図１１】広告料金変更のフローチャートである。
【図１２】第１の例を示す図である。
【図１３】第２の例を示す図である。
【図１４】第３の例を示す図である。
【図１５】第４の例を示す図である。
【図１６】第５の例を示す図である。
【図１７】第６の例を示す図である。
【発明を実施するための形態】
【００１７】
図１は，本発明の概要を説明するためのブロック図である。広告料金算定手段１０は，地理的因子または時間的因子に応じて広告料金を算定する手段である。広告提示手段２０は，地理的因子または時間的因子に関連づけて広告を情報端末に提示する手段である。表示装置３０は，パーソナルコンピュータ，携帯電話，カーナビゲーションシステムといった情報端末の表示装置である。
【００１８】
地理的因子指定／獲得手段４０は，利用者からの場所指定情報の入力やＧＰＳ(Global Positioning System) などによる情報端末が存在する位置の緯度経度情報から地理的因子の情報を取得する手段である。地図表示手段５０は，地図情報を持ち，指定された場所の地図を表示装置３０に表示する手段であり，表示装置３０に地図を表示する必要がある場合に設けられる。利用状況獲得手段６０は，広告の利用状況を獲得する手段である。また，利用者情報指定／獲得手段７０は，広告の利用者情報を指定または獲得する手段である。８０は広告主，９０は利用者を表す。
【００１９】
動作は，以下のとおりである。広告料金算定手段１０は，広告主８０からの広告依頼に対して，場所や地域のような地理的因子あるいは時間や季節のような時間的因子に応じて広告料金を算定する。このとき，必要に応じて利用状況獲得手段６０により獲得した広告の利用状況および利用者情報指定／獲得手段７０によって入力または獲得した利用者情報を，地理的因子または時間的因子とともに料金の算定に用いる。
【００２０】
地理的因子指定／獲得手段４０は，広告する情報端末の位置や広告内容の場所の情報を得て，広告提示手段２０へ通知する。また，地図表示手段５０が設けられていれば，地図表示手段５０に表示すべき場所の情報を通知する。広告提示手段２０は，指定された場所の情報に関連する広告を情報端末の表示装置３０に提示する。必要であれば，地図表示手段５０は，地図を情報端末の表示装置３０に表示する。
【００２１】
地理的因子の例としては，「場所」，「地点」，「経路」，「地域」などが挙げられる。
【００２２】
時間的因子の例としては，「時刻」，「昼夜」，「季節」，「期間」，曜日や平日／祝祭日などの「日種別」などが挙げられる。
【００２３】
広告の例としては，「店舗」，「施設」，「催し物」などの広告が挙げられる。
【００２４】
情報端末の例としては，「パーソナルコンピュータ」，「カーナビゲーションシステム」，「携帯端末」，「携帯電話」，「街角端末」，ビルの壁面などに取り付けられた「大型ディスプレイ」などが挙げられる。
【００２５】
利用状況の例としては「広告の閲覧回数」，「アクセス回数」などが挙げられる。
【００２６】
また，利用者情報の例としては，「性別」，「年齢」，「国籍」，「職種」，「未婚／結婚」，「子供あり／なし」などが挙げられる。
【００２７】
図２（Ａ）に，広告主８０から依頼された広告の内容の例を示す。広告の内容には，実際に広告する内容の情報の他に，場所などの地理的因子の情報または時間的因子の情報が含まれる。
【００２８】
図２（Ｂ）は，パーソナルコンピュータなどの情報端末への広告の出力例を示す。パーソナルコンピュータなどの比較的大きい画面の表示装置３０を持つ情報端末には，広告主８０から依頼された広告の内容を表示するとともに，地図を表示し，地図内に広告に関連する場所が示されるようにする。
【００２９】
図２（Ｃ）は，携帯電話などの表示パネルへの広告の出力例を示す。携帯電話などのように小さな表示画面しか持たない装置には，主としてテキスト情報の広告を表示する。もちろん簡略化した地図を併せて表示してもよい。
【００３０】
図３は，広告料金算定手段１０の構成例を示す。広告料金算定手段１０は，広告主８０からの広告依頼があると，場所や地域または時間や季節と広告料金を組にした表やデータベース，あるいは場所や地域または時間や季節から広告料金を算出する計算式によって，地理的因子または時間的因子に応じた広告料金を算定する。この処理のため，広告料金算定手段１０は，見積受付手段１１，料金算定手段１２，見積提示手段１３，契約受付手段１４，料金変更手段１５，基本料金算出表１６，割引料金算出式１７，顧客／広告データベース１８を備える。
【００３１】
図４は，基本料金算出表１６の例を示す。基本料金算出表１６には，例えば図４に示すように，広告の地域および時間帯ごとに，基本料金があらかじめ設定されている。
【００３２】
図５は，顧客／広告データベース１８の例を示す。顧客／広告データベース１８には，図５に示すように，広告主８０の名前，会社名，郵便番号，住所などの顧客情報と，地域，時間帯，契約期間，継続期間，広告本文，広告画像などの広告情報と，日時件数，利用者９０の性別年齢などの利用者情報を含む利用状況の情報が格納される。
【００３３】
図６は，広告料金算定手段１０の処理フローチャート，図７は，見積受付画面の例，図８は，見積提示／契約画面の例，図９は，広告提示／確認画面の例を示す。
【００３４】
図３に示す広告料金算定手段１０の見積受付手段１１は，図７に示すような見積受付画面を広告主８０の端末に表示し，広告主８０からの広告見積依頼を受け付ける（ステップＳ１）。見積受付の際の入力情報は，申込者情報として，名前，会社名，郵便番号，住所，電話番号，ファクシミリ番号，電子メールアドレス，ホームページを持っている場合，そのＵＲＬ（Uniform Resource Locator）である。また，掲載する広告に関する情報としては，広告を掲載する地域，時間帯，掲載期間および広告の概要に関する情報である。
【００３５】
次に，料金算定手段１２は，図７に示す見積画面から入力された地域，時間帯などの情報を用いて，基本料金算出表１６を参照し，基本料金を算出する（ステップＳ２）。
【００３６】
算出した基本料金と，顧客／広告データベース１８から検索された契約継続期間などの情報を用いて，所定の割引料金算出式１７から割引料金を算出する（ステップＳ３）。割引料金算出式１７は，例えば以下のような式である。
【００３７】
〔割引料金＝基本料金−総時間帯数による割引−契約継続期間による割引〕
以上の処理により広告料金を算出したならば，見積提示手段１３により図８に示すような見積提示／契約受付画面を表示し，見積金額を提示する（ステップＳ４）。また，契約受付手段１４は，見積提示／契約受付画面により，広告本文，広告する画像が格納された画像ファイル名，支払い方法などの指定を入力して契約の受付を行う（ステップＳ５）。
【００３８】
契約受付手段１４は，契約を受け付けると，図９に示すような広告提示／契約確認画面を表示し，広告の確認を行う（ステップＳ６）。広告提示／契約確認画面では，地図や広告内容を，実際に利用者の情報端末等に表示するイメージで表示する。確認がＯＫであれば，契約期間ほかの顧客情報および地域，時間帯，広告内容ほかの広告情報を，顧客／広告データベース１８に記入する（ステップＳ７）。広告の確認がＮＧである場合，ステップＳ１の見積受付へ戻り，見積の条件を再入力する。
【００３９】
図１０は，図１に示すシステムにおける広告提示／地図提示のフローチャートである。地理的因子指定／獲得手段４０は，利用者９０に広告を提示する際に，システムの運用者または利用者９０が指定した地理的因子を取得する。または，システムが自動的に地理的因子を獲得する（ステップＳ１０）。次に，指定または獲得された地理的因子に応じてその地理的因子に関連する地図を，地図表示手段５０によって情報端末の表示装置３０に表示する（ステップＳ１１）。その地図の表示とともに，指定または獲得された地理的因子に関連する広告を，広告提示手段２０によって表示装置３０に表示する（ステップＳ１２）。その後，顧客／広告データベース１８中の前記の広告に関する利用状況を更新する（ステップＳ１３）。
【００４０】
図１１は，料金変更手段１５による広告料金変更のフローチャートである。料金変更手段１５は，定期的に図１１に示す処理を実行する。まず，対象となる地域を設定し（ステップＳ２０），前記の地域に属する広告の今期におけるアクセス数をカウントし，顧客／広告データベース１８に記入する（ステップＳ２１）。次に，現在の基本料金，今期アクセス数，前期アクセス数などの情報を用いて，所定の基本料金変更式から新しい基本料金を算出する（ステップＳ２２）。基本料金変更式は，例えば次のような式である。
【００４１】
〔新しい基本料金＝現在の基本料金×今期アクセス数／前期アクセス数〕
基本料金算出表１６の中の対象となる地域の広告に関する利用状況を更新する（ステップＳ２３）。次に，対象となる地域が他にないかどうかを判定し，基本料金変更の対象となるすべての地域に対する処理が終了した場合には，処理を終了する（ステップＳ２４）。まだ対象となる未処理の地域があれば，ステップＳ２０へ戻り，同様に処理を繰り返す。
【００４２】
以上の広告料金算定手段１０の処理によって，場所や地域のような地理的因子あるいは時間や季節のような時間的因子に応じて広告料金を算出することが可能になる。
【００４３】
次に，図１２〜図１７に従って，広告表示システムの具体的な例を説明する。
【００４４】
〔第１の例〕
図１２は，第１の例を示す図である。センタから携帯電話に広告のみを送信するような場合が，本例に相当する。すなわち，広告提供装置１００は，センタに設置される装置であり，情報端末１１０は，小画面の表示装置３０を備えた携帯電話等である。
【００４５】
広告提供装置１００において，広告料金算定手段１０は，地理的因子，時間的因子，または地理的因子と時間的因子の両方に応じて広告の料金を算定する。広告提示手段２０は，地理的因子または時間的因子に関連づけて広告を情報端末１１０に提示する。
【００４６】
広告料金算定手段１０が，地理的因子に応じて広告の料金を算定する場合の基本的な動作は，以下のとおりである。まず，広告主８０は，広告とその広告を関連づける地理的因子を広告提供装置１００に提示する。広告提供装置１００における広告料金算定手段１０は，提示された地理的因子に応じて広告料金を算定し，算定した広告料金を広告主８０に提示し広告提示を受注する。広告提示手段２０は，地理的因子に関連する広告を情報端末１１０に送信する。情報端末１１０は，地理的因子に関連する広告を表示装置３０に表示し，利用者９０に閲覧させる。地理的因子に代えて，または地理的因子とともに，時間帯などの時間的因子を用いて，広告料金を算定，広告を提示する場合も同様である。
【００４７】
広告提供装置１００には，さらに地理的因子指定／獲得手段４０を追加することができる。地理的因子指定／獲得手段４０は，地理的因子を指定または獲得する手段であり，センタで位置を指定して該当する広告を携帯電話の情報端末１１０に送信する場合や，ＰＨＳ（Personal Handyphone System）の位置をセンタで獲得して該当する広告をＰＨＳの情報端末１１０に送信する場合がある。
【００４８】
広告提供装置１００は，広告料金を算定して広告提示を受注する。その後，地理的因子指定／獲得手段４０によって地理的因子を取得すると，広告提示手段２０は，その指定または獲得された地理的因子に関連づけられた広告が存在するかどうかを調べ，存在すればその広告を情報端末１１０に提示する。
【００４９】
また，広告提供装置１００に利用状況獲得手段６０を追加することできる。利用状況獲得手段６０は，地理的因子，時間的因子またはその両方に関連する広告の利用状況を獲得する。利用状況獲得手段６０を有するときの広告提供装置１００の動作は，以下のとおりである。広告主８０は，広告とその広告を関連づける地理的因子（または時間的因子）を広告提供装置１００に提示する。広告料金算定手段１０は，提示された地理的因子に応じて広告料金を算定し，算定した広告料金を広告主８０に提示し広告提示を受注する。広告提示手段２０は，地理的因子に関連づけて広告を情報端末１１０に送信する。情報端末１１０は，地理的因子に関連づけられた広告を表示装置３０に表示し，利用者９０に閲覧させる。利用状況獲得手段６０は，前記地理的因子における広告の利用状況，すなわち広告の閲覧回数やアクセス回数を獲得する。広告料金算定手段１０は，この広告の利用状況をもとに広告料金を修正する。
【００５０】
さらに，広告提供装置１００に利用者情報指定／獲得手段７０を追加することもできる。利用者情報指定／獲得手段７０は，提示される広告の利用者情報を指定する。または利用者情報指定／獲得手段７０は，提示された広告の利用者情報を獲得する。広告料金算定手段１０は，指定または獲得された利用者情報に応じて広告料金を修正する。
【００５１】
〔第２の例〕
図１３は，第２の例を示す図である。設置型端末１１５は，街角や施設内に設置される，いわゆるオールイン型の広告提供／提示装置である。設置型端末１１５は，地図情報もあらかじめ持っており，地理的因子，時間的因子またはその両方に応じて広告の料金を算定する広告料金算定手段１０と，地理的因子，時間的因子またはその両方に関連づけて広告を表示装置３０に提示する広告提示手段２０と，地理的因子を指定または獲得する地理的因子指定／獲得手段４０と，指定または獲得された地理的因子に関連づけられた地図を表示装置３０に表示する地図表示手段５０とを備えている。
【００５２】
広告提供／提示装置である設置型端末１１５の動作は，以下のとおりである。まず，広告主８０は，広告とその広告を関連づける地理的因子（または時間的因子）を設置型端末１１５に提示する。設置型端末１１５における広告料金算定手段１０は，提示された地理的因子に応じて広告料金を算定し，算定した広告料金を広告主８０に提示し広告提示を受注する。地理的因子指定／獲得手段４０は，指定または獲得された地理的因子を，広告提示手段２０および地図表示手段５０に通知し，広告提示手段２０は，地理的因子に関連づけて広告を表示装置３０に表示する。また，地図表示手段５０は，広告提示手段２０による広告の提示とともに，該当する地図を表示装置３０に表示する。利用者９０は，表示装置３０により地理的因子に関連づけられた広告を閲覧することができる。
【００５３】
〔第３の例〕
図１４は，第３の例を示す図である。本例は，いわゆるサーバ／クライアント型のシステムであり，サーバである広告提供装置１００と，クライアントである情報端末１１０からなる。１台の広告提供装置１００に対して有線または無線によるネットワークを介して多数の情報端末１１０の接続が可能である。情報端末１１０は，例えばデスクトップ型パーソナルコンピュータ，携帯型コンピュータ，ＰＤＡ(Personal Digital Assistants），あるいはカーナビゲーションシステムなどの装置である。
【００５４】
サーバ側の広告提供装置１００は，地理的因子，時間的因子またはその両方に応じて広告の料金を算定する広告料金算定手段１０と，地理的因子（または時間的因子）に関連づけられた広告をネットワークを介して情報端末１１０へ送信する広告送信手段１２０と，地理的因子を指定または獲得する地理的因子指定／獲得手段４０と，指定または獲得した地理的因子をネットワークを介して情報端末１１０へ送信する地理的因子送信手段１４０とを持つ。
【００５５】
クライアント側の情報端末１１０は，広告送信手段１２０から送信された広告を受信する広告受信手段１３０と，受信した広告を表示装置３０に表示する広告提示手段２０と，サーバ側から送信された地理的因子を受信する地理的因子受信手段１５０と，受信した地理的因子に関連づけられた地図を表示装置３０に表示する地図表示手段５０とを持つ。
【００５６】
図１４に示すシステムの動作は，以下のとおりである。広告主８０は，広告とその広告を関連づける地理的因子（または時間的因子）を広告提供装置１００に提示する。広告提供装置１００は，広告料金算定手段１０によって，提示された地理的因子等に応じて広告料金を算定し，算定した広告料金を広告主８０に提示し広告提示を受注する。また，地理的因子指定／獲得手段４０は，指定または獲得された地理的因子を，広告送信手段１２０および地理的因子送信手段１４０にに通知する。広告送信手段１２０は，指定または獲得された地理的因子に関連づけられた広告が存在すればその広告を情報端末１１０へ送信し，地理的因子送信手段１４０は，通知された地理的因子を情報端末１１０へ送信する。
【００５７】
情報端末１１０では，広告提供装置１００から送信された広告を，広告受信手段１３０によって受信し，広告提示手段２０によって表示装置３０に出力する。また，広告提供装置１００から送信された地理的因子を，地理的因子受信手段１５０によって受信し，地図表示手段５０は，広告提示手段２０による広告の提示とともに，受信した地理的因子に該当する地図を表示装置３０に表示する。利用者９０は，表示装置３０により地理的因子等に関連づけられた広告を閲覧することができる。
【００５８】
〔第４の例〕
図１５は，第４の例を示す図である。前述した第３の例では，地図情報を情報端末１１０が持つのに対し，第４の例では，サーバ側の広告提供装置１００が地図情報を持つ。そのため，広告提供装置１００は，第３の例における地理的因子送信手段１４０の代わりに，地理的因子指定／獲得手段４０が指定または獲得した地理的因子に対応する地図情報を送信する地図送信手段１４５を持ち，情報端末１１０は，第３の例における地理的因子受信手段１５０の代わりに，地図受信手段１５５を持つ。ウェブサーバからパーソナルコンピュータに地図と広告を送信するような場合が本例に相当する。
【００５９】
地理的因子指定／獲得手段４０は，指定または獲得された地理的因子を広告送信手段１２０および地図送信手段１４５に通知する。広告送信手段１２０は，通知された地理的因子に関連づけられた広告が存在すればその広告を情報端末１１０へ送信する。一方，地図送信手段１４５は，広告提供装置１００が持つ地図情報の中から通知された地理的因子に該当する地図を選択し，それをネットワークを介して情報端末１１０へ送信する。情報端末１１０では，地図受信手段１５５が地図を受信し，その地図を地図表示手段５０が表示装置３０に表示する。他の部分については，第３の例と同様である。
【００６０】
〔第５の例〕
図１６は，第５の例を示す図である。前述した第３および第４の例では，広告提供装置１００が地理的因子指定／獲得手段４０を持っていたのに対し，第５の例では，情報端末１１０が地理的因子指定／獲得手段４０を持っている。また，第５の例では，情報端末１１０があらかじめ地図情報を持っている。センタからカーナビゲーションシステムに広告のみを送信するような場合が本例に相当する。
【００６１】
地理的因子指定／獲得手段４０は，利用者９０が指定した場所やＧＰＳ等によって獲得した場所を示す地理的因子を，地図表示手段５０に通知するともとに，地理的因子送信手段１６０に通知する。地図表示手段５０は，通知された地理的因子が示す地図を表示装置３０に表示する。また，地理的因子送信手段１６０は，地理的因子を広告提供装置１００へネットワークを介して送信する。
【００６２】
広告提供装置１００では，地理的因子受信手段１７０によって情報端末１１０から送信された地理的因子を受信すると，広告送信手段１２０によって，その地理的因子に関連づけられた広告を検索し，該当する広告が存在すればその広告を情報端末１１０へ送信する。
【００６３】
送信された広告は広告受信手段１３０が受信し，広告提示手段２０は，その広告を地図表示手段５０が表示する地図と併せて表示装置３０に表示する。広告料金算定手段１０その他の処理については，前述した第３，第４の例と同様である。
【００６４】
〔第６の例〕
図１７は，第６の例を示す図である。前述した第５の例との違いを説明すると，第５の例では，情報端末１１０が地図情報を持っているのに対し，第６の例では，広告提供装置１００が地図情報を持っている。そのため，情報端末１１０において地理的因子指定／獲得手段４０が地理的因子を入手すると，地理的因子送信手段１６０によって地理的因子を広告提供装置１００へ送信する。
【００６５】
広告提供装置１００では，地理的因子受信手段１７０によって地理的因子を受信し，受信した地理的因子を広告送信手段１２０および地図送信手段１４５に通知する。広告送信手段１２０は，その地理的因子に関連づけられた広告を検索し，該当する広告が存在すればその広告を情報端末１１０へ送信する。また，地図送信手段１４５は，地理的因子に該当する地図を情報端末１１０へ送信する。
【００６６】
情報端末１１０では，広告受信手段１３０が広告を受信し，広告提示手段２０は，その広告を表示装置３０に表示する。また，地図受信手段１５５が地図を受信し，地図表示手段５０がその地図を表示装置３０に表示する。広告料金算定手段１０その他の処理については，前述した例と同様である。
【符号の説明】
【００６７】
１０  広告料金算定手段
２０  広告提示手段
３０  表示装置
４０  地理的因子指定／獲得手段
５０  地図表示手段
６０  利用状況獲得手段
７０  利用者情報指定／獲得手段
８０  広告主
９０  利用者
【図１】
2010157251.tif 000003
【図２】
2010157251.tif 000004
【図３】
2010157251.tif 000005
【図４】
2010157251.tif 000006
【図５】
2010157251.tif 000007
【図６】
2010157251.tif 000008
【図７】
2010157251.tif 000009
【図８】
2010157251.tif 000010
【図９】
2010157251.tif 000011
【図１０】
2010157251.tif 000012
【図１１】
2010157251.tif 000013
【図１２】
2010157251.tif 000014
【図１３】
2010157251.tif 000015
【図１４】
2010157251.tif 000016
【図１５】
2010157251.tif 000017
【図１６】
2010157251.tif 000018
【図１７】
2010157251.tif 000019